(57)【特許請求の範囲】
【請求項１】
記録紙が搬送される搬送路を具備するカセットと、該カセットが引き出し自在に収納されるカセットケースと、を有する給紙装置を備えた画像形成装置において、
前記搬送路に沿って、前記カセットを前記カセットケースから引き出す過程で搬送路側へ付勢されて閉じ、前記カセットを前記カセットケースに完全に収納した状態で付勢力に抗して反搬送路側へ開く記録紙把持手段が設けられ、
前記カセットを前記カセットケースから引き出す過程で、前記記録紙把持手段により前記搬送路に残留している記録紙が把持されて、該記録紙が該カセットに連られながら該カセットとともに引き出されるように構成したことを特徴とする画像形成装置。
【請求項２】
給紙部から送られてきた記録紙を画像形成部へ送る中間搬送装部を備え、前記中間搬送部は、記録紙が搬送される搬送路を具備する中間搬送装置と、該中間搬送装置が引き出し自在に収納される中間搬送装置ケースと、で構成される画像形成装置において、
前記搬送路に沿って、前記中間搬送装置を前記中間搬送装置ケースから引き出す過程で搬送路側へ付勢されて閉じ、前記中間搬送装置を前記中間搬送装置ケースに完全に収納した状態で付勢力に抗して反搬送路側へ開く記録紙把持手段が設けられ、
前記中間搬送装置を前記中間搬送装置ケースから引き出す過程で、前記記録紙把持手段により前記搬送路に残留している記録紙が把持されて、該記録紙が該中間搬送装置に連られながら該中間搬送装置とともに引き出されるように構成したことを特徴とする画像形成装置。
【請求項３】
前記搬送路の、用紙搬送方向における上流側又は下流側に、前記記録紙把持手段により把持されて引き出される記録紙を案内する案内手段が設けられたことを特徴とする請求項１又は請求項２に記載の画像形成装置。
【発明の詳細な説明】
【０００１】
【発明の属する技術分野】
本発明は、コピー・ファクシミリ複合機や複写機等において、セットされた記録紙を給紙装置から画像形成部へ供給する画像形成装置に関する。
【０００２】
【従来の技術】
一般に、ファクシミリ装置、複写機、プリンタ、及びこれらの機能を少なくとも一つを備えた複合機といった画像形成装置において、読取部と記録部とを上下に配置し、記録部の上面に形成された排紙トレイに印字が終了した記録紙を排出するようにした、いわゆる胴内排紙方式の画像形成装置が知られている。
記録部の下に配置された給紙部には種々のサイズの記録紙に記録を行うため、複数段の給紙カセットが引出自在に収納されており、これらの給紙カセットからピックアップローラにより繰り出された記録紙が装置の側面又は背面に形成された搬送路を通って、記録部へと送られ、記録部にて記録紙に印字が行われている。
ところが、下方の給紙カセットから上方の給紙カセットへ送られる途中や、給紙カセットから記録部へ送られる途中で、記録紙の紙詰まりが発生することがある。
このような場合に、搬送路が形成されている装置の側方または背面側を開いてジャム紙を除去できるようにジャムアクセスカバーが設けられている。
【０００３】
【発明が解決しようとする課題】
しかし、ファクシミリ装置や複写機は、部屋の隅や壁際に設置されることが多い上、設置した周囲にも十分なスペースをとれないこともあることから、ジャムアクセスカバーを開くことも困難なことがあり、しかもジャム処理のために作業者が作業をするためのワーキングスペースを確保する必要があった。従って、従来の胴内排紙方式の画像形成装置では、設置スペースが減少するものの、ジャム処理のワーキングスペースは以前と同じく必要という問題があった。
そこで、本発明では、この設置スペースと、ワーキングスペースをともに削減し、確実にジャム処理を行えるメンテナンス性に優れた画像形成装置を提供することを課題とする。
【０００４】
【課題を解決するための手段】
本発明の解決しようとする課題は以上の如くであり、次にこの課題を解決するための手段を説明する。
【０００５】
まず、請求項１に記載のように、記録紙が搬送される搬送路を具備するカセットと、該カセットが引き出し自在に収納されるカセットケースと、を有する給紙装置を備えた画像形成装置において、前記搬送路に沿って、前記カセットを前記カセットケースから引き出す過程で搬送路側へ付勢されて閉じ、前記カセットを前記カセットケースに完全に収納した状態で付勢力に抗して反搬送路側へ開く記録紙把持手段が設けられ、前記カセットを前記カセットケースから引き出す過程で、前記記録紙把持手段により前記搬送路に残留している記録紙が把持されて、該記録紙が該カセットに連られながら該カセットとともに引き出されるように構成した。
これにより、上下のカセットの搬送路間に、記録紙が跨った状態で紙ジャムが生じた際に、いずれかのカセットを前方へ引き出すと、引き出したカセットの搬送路内に設けられた記録紙把持手段により記録紙が把持されて、引き出されないカセットの搬送路から引き抜かれることとなって、メンテナンス性が向上する。
したがって、カセット間に跨った状態で起こった紙ジャムを処理する場合に、記録紙把持手段により記録紙を容易に引き出せる。また、メンテナンス作業を画像形成装置前面で行うことができるため、設置スペースとワーキングスペースとを削減することができる。
【０００６】
請求項２に記載のように、給紙部から送られてきた記録紙を画像形成部へ送る中間搬送装部を備え、前記中間搬送部は、記録紙が搬送される搬送路を具備する中間搬送装置と、該中間搬送装置が引き出し自在に収納される中間搬送装置ケースと、で構成される画像形成装置において、前記搬送路に沿って、前記中間搬送装置を前記中間搬送装置ケースから引き出す過程で搬送路側へ付勢されて閉じ、前記中間搬送装置を前記中間搬送装置ケースに完全に収納した状態で付勢力に抗して反搬送路側へ開く記録紙把持手段が設けられ、前記中間搬送装置を前記中間搬送装置ケースから引き出す過程で、前記記録紙把持手段により前記搬送路に残留している記録紙が把持されて、該記録紙が該中間搬送装置に連られながら該中間搬送装置とともに引き出されるように構成した。
さらに中間搬送装置を前方に引き出すと、記録紙搬送部を外方に露出させることができ、この状態で搬送路を形成する枠体を上方回動することにより搬送路が開放され、搬送路に残留していた記録紙を除去することができる。
以上のような構成で、中間搬送装置の搬送路で記録紙がジャムした場合、中間搬送装置を中間搬送装置ケースから前方へ引き出すだけで、容易にジャム処理を行うことができ、メンテナンス作業は画像形成装置前面で行うことができるため、設置スペースとワーキングスペースとを削減することができる。
【０００７】
請求項３に記載のように、前記搬送路の、用紙搬送方向における上流側又は下流側に、前記記録紙把持手段により把持されて引き出される記録紙を案内する案内手段を設けた。
これにより、上下のカセットの搬送路間に記録紙が跨った状態で紙ジャムが生じた場合（又は中間搬送装置側の搬送路とカセット側の搬送路とに記録紙が跨った状態で紙ジャムが生じた場合）、いずれかのカセット（又は中間搬送装置）を前方へ引き出すと、引き出したカセット（又は中間搬送装置）の搬送路内に設けられた記録紙把持手段によりジャムした記録紙が把持されて、引き出されないカセットの搬送路から引き抜かれることとなって、引き出されないカセットの搬送路の下流側端部又は上流側端部で屈曲されながら引き出される。
このとき記録紙は、引き出されない側のカセットに設けられる搬送路の下流側端部又は上流側端部で屈曲されながら引き出されることになるが、その屈曲部分の近傍に設けられた案内手段がジャムした記録紙と当接して引抜き方向を案内するとともに、引抜きと同時にジャムした記録紙にかかる抵抗を小さくする。
したがって、ジャムした記録紙をしごいて破るなどして新たに紙ジャムの発生を誘発することなく、確実かつスムーズに搬送路から引き抜くことができ、メンテナンス性が向上する。
【０００８】
【発明の実施の形態】
次に、発明の実施の形態を説明する。
図１は本発明の給紙装置が適用されるファクシミリ装置の斜視図、図２は中間搬送装置及び給紙装置の左側面断面図、図３は搬送路が開放された状態を示す中間搬送搬送装置の左側面断面図、図４は中間搬送搬送装置の左側面断面図、図５は給紙装置後部の左側面断面図、図６は中間搬送装置とともに記録紙が引き出される様子を示す中間搬送装置の左側面断面図、図７は記録紙把持手段の斜視図、図８は搬送路を開放した状態における記録紙把持手段の斜視図、図９はファクシミリ装置において中間搬送装置が引き出される様子を説明する斜視図、図１０は中間搬送装置を更に引き出し、内部のジャム紙を除去する手順を示す斜視図、図１１は給紙カセットの収納状態を示す給紙ユニットの平面断面図、図１２は第二カセットの引き出し状態を示す給紙ユニットの平面断面図、図１３は第一、第二カセットの引き出し状態を示す給紙ユニットの平面断面図、図１４は別実施例の記録紙把持手段による把持解除状態を示す給紙カセット後部の平面断面図、図１５は別実施例の記録紙把持手段による把持状態を示す給紙カセット後部の平面断面図、図１６は別実施例の記録紙把持手段による把持解除状態を示す給紙カセット後部の左側面断面図、図１７は別実施例の記録紙把持手段による把持状態を示す給紙カセット後部の左側面断面図、図１８は別実施例の記録紙把持手段によるニップ解除状態を示す給紙カセット後部の左側面断面図である。
【０００９】
まず、中間搬送装置が適用されるファクシミリ装置の概略構成について、図１により説明する。
なお、中間搬送装置を配設させる対象の装置としては、画像形成部および給紙カセット等の給紙装置を備えた画像形成装置であればよく、ファクシミリ装置に限定されない。
また、以下の説明においては、便宜的に図１に示す矢印Ａの方向をファクシミリ装置１の前方（正面側）とする。
【００１０】
ファクシミリ装置１は、画像形成部２の上方には画像読取部３を配置し、下方には給紙部４を、それぞれ配設する構成としている。
また、画像形成部２と給紙部４との間には中間搬送部５が設けられており、該中間搬送部５内の中間搬送装置２４は、給紙部４からの記録紙を中継して画像形成部２へ送り込む。この給紙部４と中間搬送装置２４とにより、本発明の給紙装置６０が構成される。但し、本実施例では、給紙装置を、中間搬送装置を含めたものとしているが、本発明はこの構成に限定されるものではなく、中間搬送装置を具備しない一般の給紙装置に、適用することも可能である。
画像形成部２においては中間搬送部５から送られる記録紙に画像を記録した上で、記録紙排出トレイ６上へ排出するようにしている。
【００１１】
原稿読取部３においては、該原稿読取部３のケーシングの上面を透明状の原稿載置面とし、光源、ミラーを備えた走査体等からなる画像読取装置を収納しており、原稿載置面上に載置された原稿を走査体により走査して、読取りを行うようにしている。
また、原稿読取部３の上方には、その一辺を中心として開閉可能に構成される原稿押えカバー７が配置され、該原稿押えカバー７により前記原稿載置面上に載置された原稿を上方から押えるものとしている。
【００１２】
原稿押えカバー７の一端部には原稿を自動的に給紙する自動給紙装置（ＡＤＦ装置）８が付設されている。また、該自動給紙装置８には原稿供給トレイ９が備えられると共に、原稿押えカバー７の上面には原稿排出トレイ１０が形成されている。
そして、原稿供給トレイ９に載置された原稿を自動給紙装置８により一枚ずつピックアップして搬送すると共に、搬送される原稿の内容を前記走査体（このときは原稿読取部３内部で静止させている）によって読み取らせ、しかる後に原稿を原稿排出トレイ１０へ排出するようにしている。
【００１３】
即ち、原稿読取部３は、走査体を走査させて静止原稿を読み取るフラットベッドタイプのスキャナとして用いるとともに、走査体を位置固定して原稿を搬送しながら読取りを行うシートフィードタイプのスキャナとして用いることができるように構成されている。
【００１４】
前記給紙部４について、図２、図５を用いて説明する。給紙部４は、二つの給紙ユニット２０・２０を上下に並設して構成されている。それぞれの給紙ユニット２０は給紙カセットケース１１と給紙カセット１２とから構成され、給紙カセットケース１１には給紙カセット１２が挿入されて、該給紙カセット１２を装置手前方向（矢視Ａ方向）に引き出せるようにしている。
【００１５】
給紙カセット１２は上面が全面的に開放した形状とされ、該給紙カセット１２内部にフラッパ１３が回動可能に枢支されている。また、給紙カセット１２後部には枠体１４・１５により搬送路１６（給紙ユニット側の搬送路）が形成されている。この搬送路１６の始端は給紙カセット１２の下面に、終端は上面に、それぞれ開口させている。
フラッパ１３の後部上方位置において、ピックアップローラ１７が給紙カセットケース１１側に設けられており、フラッパ１３上に載置された記録紙を該ピックアップローラ１７により１枚ずつ繰り出し、前記の搬送路１６へ送り出すようにしている。
【００１６】
枠体１５の上部には搬送ローラ１８が配設され、該搬送ローラ１８に当接するように搬送ローラ１９が枠体１４上に配設されている。これらの搬送ローラ１８・１９により、ピックアップローラ１７にて繰り出された記録紙を前記搬送路１６に沿って、各給紙カセットケース１１の上面に形成された開口１６ａに向けて搬送するようにしている。
【００１７】
各給紙カセットケース１１後部の下面にも、上面の前記開口部１６ａと位置を合わせて開口部が形成され、各給紙カセットケース１１の上下面の開口部１６ａは、給紙カセット１２の前記枠体１４・１５によって形成される搬送路を介して連通されている。そして、給紙ユニット２０・２０を上下に並べて配置したときに、給紙カセットケース１１後部上面の開口部１６ａの位置が、すぐ上に位置する給紙カセットケース１１後部上面の開口部の位置に一致するようにしている。
【００１８】
この構成で、下側の給紙ユニット２０より記録紙を繰り出した場合は、その記録紙は、上側の給紙ユニット２０の枠体１４・１５間の経路を経由して上方へ搬送され、最終的には、最上にある給紙ユニット２０の上面の開口（給紙部４側の搬送路１６の終端に相当する）１６ａに向けて送り出される。
【００１９】
以上のようにして、記録紙の搬送される方向（上下方向）と、給紙カセット１２の引出し方向（水平手前方向）とが、同一面内（本実施例では側面内）に収まるように、給紙部４が構成されている。
【００２０】
前記中間搬送部５について、図２から図４を用いて説明する。
図２、図３に示すように、中間搬送部５は中間搬送装置ケース２３と中間搬送装置２４とから構成され、中間搬送装置ケース２３には中間搬送装置２４が挿入されて、該中間搬送装置２４が装置ケース２３から手前に引き出せるようにしている。
また、中間搬送装置２４は上面の大部分が開口して形成され、該中間搬送装置２４は後部を記録紙搬送部２１とし、前部を収納部２２としている。
【００２１】
中間搬送装置２４の前部には、上面を全面的に開口した箱体が収納されており、該箱体により収納部２２が構成されている。収納部２２は、ファクシミリ装置１の取扱説明書や、予備の記録記録紙等を収納可能とするだけの容積を有している。
【００２２】
中間搬送装置２４後部内には枠体２５・２６が設けられており、枠体２５は中間搬送装置２４に固設され、枠体２６は中間搬送装置２４に対して回動可能に枢支されている。枠体２５・２６の間に搬送路（中間搬送装置２４側の搬送路）２７が形成され、この搬送路２７の始端は該中間搬送装置２４下面（具体的には、中間搬送装置ケース２３の下面）に設けた開口とされる。この開口は、最も上の位置にある給紙ユニット２０の給紙カセットケース１１上面の開口１６ａ（給紙部４側の搬送路の終端）に接続される。
以上のようにして、記録紙搬送部２１が中間搬送装置２４後部に構成されている。
【００２３】
枠体２５には搬送路２７に沿って複数の搬送ローラ２８・２９・３０が並べて配設されており、該搬送ローラ２８・２９・３０とそれぞれ当接するように、搬送ローラ３１・３２・３３が枠体２６に設けられている。そして、搬送ローラ２８・２９・３０および搬送ローラ３１・３２・３３により、搬送路２７に沿って記録紙を搬送可能としている。
【００２４】
また、図３に示すように、中間搬送装置２４後端部には回動支点軸３４が設けられて、前記枠体２６が回動支点軸３４に対して回動自在に設けられている。このため、枠体２６の後方への回動により搬送路２７が開放可能とされている。
【００２５】
枠体２６の上側にはガイド部２６ａが突出状に形成される。そして、中間搬送装置２４が中間搬送装置ケース２３に押し込まれる際に、ガイド部２６ａの上縁が中間搬送装置ケース２３の天井面側に設けたローラ４６により押下され、枠体２６が下側に押圧されて枠体２５側へ近接され、ローラ同士（２８・３１、２９・３２）に適宜の圧接力を生じさせる。
従って、中間搬送装置２４が中間搬送装置ケース２３に収納された際には、図４に示すように、枠体２６は閉じた状態となって、搬送路２７内をローラ２８・２９・・・によって搬送可能な状態となる。
【００２６】
次に、本発明の給紙装置６０に備えられた、記録紙把持手段について説明する。
記録紙把持手段は、給紙装置６０において、引き出し自在な搬送路を備えた各装置、すなわち、給紙部４を構成する給紙ユニット２０・２０と、中間搬送部５を構成する中間搬送装置２４とに、それぞれ設けられている。
【００２７】
まず、中間搬送装置２４に設けた記録紙把持手段について説明する。
図４から図８に示すように、前記中間搬送装置２４において、搬送ローラ３１後方に記録紙把持手段が設けられている。記録紙把持手段は、給紙装置６０本体、より詳細には、枠体２６に立設されるブラケットに設けた揺動自在のアーム４２と、該アーム４２を搬送路を閉じる方向に押圧する押圧手段と、アームの揺動を規制する規制手段とから構成され、押圧手段をバネ部材４１とし、規制手段は、中間搬送装置ケース２３の内部上面に設けられた回転ローラ４０としている。
アーム４２の前端上面（表面）には回転ローラ４０に接触するガイド部４２ａが設けられ、その後端下面（裏面）には記録紙を把持するためのゴム等の弾性部材４３が取り付けられている。アーム４２の前後中央には外側方に向けて回動支点軸４２ｂが突設され、前記枠体２６から立設されるブラケットに軸支されている。また、該アーム４２前部と該枠体２６との間にはバネ部材４１が介装され、該バネ部材４１によりアーム４２は上方へ付勢されつつ、該回動支点軸４２ｂまわりに揺動自在に構成されている。
【００２８】
この構成で、中間搬送装置２４を中間搬送装置ケース２３に押し込んだ状態（ファクシミリ装置１の使用時）においては、中間搬送装置ケース２３の内部上面に設けられた回転ローラ４０がアーム４２前端のガイド部４２ａをバネ部材４１の付勢力に抗して押圧しており、その結果、アーム４２後端の弾性部材４３が上方へ回動して枠体２５から離間し、搬送路２７は記録紙が通過できる状態に開放されている。
【００２９】
以上のような構成で、前記中間搬送装置２４が中間搬送装置ケース２３に完全に収納されているときには、記録紙把持手段は搬送路２７を開放しており、次に記録紙がこの搬送路２７でジャムした場合について説明する。
この場合、オペレータは中間搬送装置２４を中間搬送装置ケース２３から引き出すだけで、容易にジャム処理を行うことができる。
以下詳述すると、この中間搬送装置２４を引き出す過程で、まず、回転ローラ４０に案内されながら前方へ退避していくアーム４２前端のガイド部４２ａは、バネ部材４１の付勢力により徐々に上方へ回動していき、一方のアーム４２後端の弾性部材４３は徐々に下方へ回動していく。そして、終には回転ローラ４０とガイド部４２ａとが離間して、該回転ローラ４０によるガイド部４２ａの押圧が解除され、アーム４２後端の弾性部材４３は搬送路２７の記録紙上面に当接するまで下方回動する。つまり、これにより搬送路２７にある記録紙は該弾性部材４３と枠体２５とにより挟扼把持され、この状態で中間搬送装置２４に連られながら引き出される。
【００３０】
そして、図９に示す状態よりさらに中間搬送装置２４を前方に引き出すと、図１０に示すように、記録紙搬送部２１を外方に露出させることができ、この状態で枠体２６を上方回動することにより搬送路２７が開放され、記録紙を除去することができる。なお、前記記録紙把持手段のアーム４２は枠体２６に取り付けられているため、記録紙把持手段による記録紙の保持は枠体２６の上方回動と同時に解除され、記録紙を容易に除去することができる。
従って、メンテナンス作業を画像形成装置前面で行うことができるため、設置スペースとワーキングスペースとを削減することができる。
【００３１】
次いで、給紙ユニット２０に設けた記録紙把持手段について、図１１から図１８を用いて説明する。
給紙ユニット２０内に設けた記録紙把持手段は、給紙装置６０本体、より詳細には支持体３８に設けた揺動自在のアームと、該アームを搬送路を閉じる方向に押圧する押圧手段と、アームの揺動を規制する規制手段とから構成され、アームを押圧板３７とし、押圧手段を付勢バネ５０としている。また、規制手段は、給紙装置本体に揺動自在に設けた作動部材５１と、該作動部材５１を規制する作動部材４７とから構成されている。
図１１から図１３には、給紙カセットケース１１から給紙カセット１２が引き出される様子を、各段階ごとに示している。図１１に示す状態は第一段階であり、給紙カセット１２が給紙カセットケース１１に収納されている状態である。図１２に示す状態は第二段階であり、第二カセット３５が第一カセット３６から引き出された状態である。図１３に示す状態は第三段階であり、給紙カセット１２全体が給紙カセットケース１１より引き出されている状態である。
本実施例での記録紙把持手段が作動するのは、図１１に示す状態から図１２に示す状態へ移行するときである。また、図１４、図１５はそれぞれ、図１１、図１２に示される記録紙把持手段を拡大した図としている。
【００３２】
図１６、図１７に示すように、枠体１４には支持体３８・４４が固設されており、該支持体３８に回動支点軸３９を回動支点として押圧板３７が枢設されている。また、押圧板３７と支持体４４とは付勢ばね５０にて連結され、押圧板３７が搬送路１６側へ付勢されるようにしている。
図１４から図１７に示すように、枠体１４には作動部材５１が枢設されている。作動部材５１は枠体１４に沿って左右方向に延設されており、作動部材５１の一端（本実施例では右端）が押圧板３７の後端へ当接可能に形成されている。
また、第二カセット３５の後端には作動部材４７が固設されており、該作動部材４７は後方へ延出している。作動部材４７は第二カセット３５と共に移動し、前述した一定幅の範囲内で、第一カセット３６に対して進退可能に構成されている。加えて、作動部材５１は前記一端に対する他端（本実施例では左端）が、作動部材４７の後方まで延びており、作動部材４７が第二カセット３５と共に第一カセット３６に対して押し込められるとき、該作動部材４７の後端が作動部材５１の左端と当接するようにしている。
【００３３】
図１４に示すように、作動部材４７が作動部材５１に当接している状態では、作動部材５１は右端が前方へ付勢されて、押圧板３７の下部後端に当接する。このとき、図１６に示すように、押圧板３７は付勢ばね５０の付勢力に抗して、押圧板３７の上部が回動支点軸３９回りに後方へ回動し、搬送路１６が開放された状態となる。
一方、図１５に示すように、作動部材４７が作動部材５１から離間している状態では、作動部材５１は作動部材４７からの押圧力を受けない。このとき、図１７に示すように、押圧板３７は付勢ばね５０の付勢力を受けて、押圧板３７の上部が回動支点軸３９回りに前方へ回動して搬送路１６を遮断する。そして、作動部材５１は押圧板３７の下部後端に当接して、押圧板３７下部の後方回動に伴い、後方へ回動する。
なお、枠体１４には開口部１４ａが設けられており、押圧板３７の前端に形成されている押圧部３７ａが該開口部１４ａを通過可能としている。開口部１４ａを通過した押圧部３７ａは前方の枠体１５に近接して、用紙搬送路１６を遮断する。
【００３４】
このため、給紙カセット１２をファクシミリ装置１本体より取り外そうと、引き出した際には、図１１、図１２に示すように、まず第二カセット３５が引き出されて、作動部材４７も前方へ引き出す。作動部材４７が第一カセット３６に対して前方に移動することにより、作動部材５１への押圧力が解除される。このため押圧板３７の押圧部３７ａが付勢ばね５０により前方へ回動して、用紙搬送路１６が遮断される。もし、用紙搬送路１６内に記録紙が残留していた場合には、該記録紙は押圧板３７および枠体１５の後端部によって把持される。
つまり、用紙搬送路１６上に残留している記録紙は、取り外そうとしている給紙カセット１２に固定され、該給紙カセット１２と共にファクシミリ装置１本体より取り出されることになる。
【００３５】
また、給紙カセット１２が給紙カセットケース１１より引き抜かれてしまった時には、前記記録紙把持手段は記録紙の保持を解除するように構成されている。
枠体１４は回動支点軸４８にて、前述したように給紙カセット１２に枢設されている。一方、給紙カセットケース１１の左右内壁には、図示せぬガイドレールが設けられており、該ガイドレールに係合する係合部が枠体１４の左右の外側面に設けられている。そして、枠体１４が給紙カセットケース１１のガイドレールに係合して、前後摺動自在となるようにしている。
以上構成により、給紙カセット１２が給紙カセットケース１１に一部でも挿入されている状態では、枠体１４と前記ガイドレールとが係合して、該枠体１４の回動支点軸４８回りの回転が制止されるようにしている。このときの枠体１４の側面視での姿勢は、図１６、図１７に示すとおりである。そして、給紙カセット１２が給紙カセットケース１１より引き抜かれてしまった時には、枠体１４と前記ガイドレールとの係合が解除されて、枠体１４が後方へ回動するようにしている。後方へ回動するのは、枠体１４の重心位置が回動支点軸４８より後側に位置するように構成されているためである。
【００３６】
回動支点軸４８には付勢手段としてのコイルばね４９が外嵌されており、該コイルばね４９の両端部が外部へ延出している。枠体１４が前記ガイドレールと係合している状態では、コイルばね４９の両端部は両方が同時に他の部材に当接することがない。このため、この状態ではコイルばね４９は回動支点軸４８回りに回動自在である。
枠体１４が後方へ回動したとき、コイルばね４９の両端部がそれぞれ、枠体１４の後端および第一カセット３６の底面３６ａに当接する。そして、コイルばね４９は枠体１４を前方へ付勢し、枠体１４を図１８に示される位置で中立させるようにしている。
【００３７】
以上構成により、給紙カセット１２が給紙カセットケース１１より引き抜かれてしまった時には、枠体１４は自動的に後方に回動して停止し、用紙搬送路１６が開放されるようにしている。
このようにして、押圧板３７および枠体１５による記録紙の保持が解除されるようにしている。そして、用紙搬送路上に残留していた用紙が給紙カセット１２と共にファクシミリ装置１より取り出された場合には、記録紙把持手段による記録紙の保持が解除されて、容易に記録紙を用紙搬送路１６より取り出すことができる。但し、給紙カセット１２内に設ける記録紙把持手段の構成は限定されるものではない。
従って、メンテナンス作業を画像形成装置前面で行うことができるため、設置スペースとワーキングスペースとを削減することができる。
【００３８】
次に、給紙装置６０に設けた記録紙の案内手段について説明する。
記録紙の案内手段は、給紙装置６０において、引き出し自在な搬送路を備えた各装置、すなわち、給紙部４を構成する給紙ユニット２０・２０（給紙カセット１２）と、中間搬送部５を構成する中間搬送装置２４とに、それぞれ設けられている。
該案内手段は、前記の記録紙把持手段のみでは、次に述べる不具合が生じるので、これを除くための手段である。
【００３９】
即ち、給紙装置６０内に記録紙把持手段を備えた構成において、記録紙が中間搬送装置２４或いは給紙カセット１２とその下の給紙カセット１２に跨った状態で詰まった場合であって、記録紙上側（先頭側）を記録紙把持手段で保持して水平に抜き出す際には、下側の給紙カセット１２側の搬送路１６の出口１６ａで記録紙が折り曲げられながら該出口１６ａから抜かれ、しごかれるような格好になる。従って、この出口１６ａで抵抗が発生して、記録紙がスムーズに引き出せないことがあった。
特に記録紙に無理な力が加わって記録紙が破れるなどすると、破れて取り残された記録紙を装置本体内部に手を差し入れて取り除かなければならず、その作業は煩雑で時間のかかるものであった。さらに、破れた記録紙が手の届かない位置に残ると、この破れた記録紙によって、再び給紙カセット１２を給紙装置に装着して給紙動作を開始するときに、給紙カセット１２から送り出される記録紙の紙ジャムを誘発してしまうことがあった。
【００４０】
そこで、中間搬送装置２４側或いは給紙カセット１２側とその下の給紙カセット１２側とに跨った状態で起こったペーパージャムを処理するために、記録紙把持手段により記録紙を中間搬送装置２４或いは給紙カセット１２とともに引き出す際に、記録紙がしごかれないようにするために、図５に示すように、給紙カセットケース１１上面の出口（給紙部側搬送路の終端）１６ａ付近に、同軸上に複数の補助ローラ４５・４５・・・を所定の間隔を開けて配置している。この補助ローラ４５・４５・・・は遊転自在に支持される。
【００４１】
以上において、給紙ユニット２０・２０に設けた補助ローラ４５・４５が、引き出し自在な搬送路を備えた各装置である中間搬送装置２４や給紙ユニット２０を引き出した際に、記録紙把持手段により把持された記録紙を案内する案内手段である。
該案内手段により、中間搬送装置２４或いは給紙カセット１２とともに引き出される記録紙が、スムーズに案内される。
【００４２】
そして、記録紙が中間搬送装置２４の搬送路２７とその下の最上段の給紙カセット１２の搬送路１６とに跨った状態で詰まっている場合について説明すると、図６に示すように、ジャム処理を行うために中間搬送装置２４を手前側に引き出すと、該記録紙は記録紙把持手段により把持され、前記最上段の給紙カセットケース１１上面の出口１６ａと該搬送路２７への入口との間で折れ曲がりながらも、中間搬送装置２４が引き出される方向と同じ手前側へ引き抜かれる。
【００４３】
このとき前記補助ローラ４５・４５・・・が回転しながら、略直角に折れ曲がりながら引き抜かれる記録紙を無理なく案内する。このようにして、給紙カセットケース１１の上面の出口１６ａの縁部で、記録紙がしごかれたり擦れたりするのを防いでおり、引抜きに抗する摩擦抵抗を低減させている。この結果記録紙把持手段で挟扼された、記録紙は搬送路１６からスムーズかつ確実に引き出すことができ、無理な力が加わって記録紙が破れるなどして新たな紙ジャムを誘発することを防止することができる。
尚、記録紙が給紙カセット１２の搬送路１６とその下の給紙カセット１２の搬送路１６とに跨った状態で詰まっている場合であって、ジャム処理を行うために給紙カセット１２を手前側に引き出す際にも、上記と同様の効果を得ることができる。
また、本例の場合は、例えば、上方の給紙カセット１２と下方の給紙カセット１２とに跨った状態で記録紙が詰まっている場合、上方の給紙カセット１２を引き出して、下方の給紙カセット１２の上端部に配置される（即ち、上方の給紙カセット１２における搬送路の上流側に配置される）補助ローラ４５・４５・・・により記録紙を案内するように構成しているが、該補助ローラ４５・４５・・・を上方の給紙カセット１２における下端部に設けて（即ち、下方の給紙カセット１２における搬送路の下流側に設けて）、下方の給紙カセット１２を引き出し、上方給紙カセット１２の補助ローラ４５・４５・・・により記録紙を案内するように構成することもできる。
【００４４】
したがって、案内手段である補助ローラ４５は、引き出し自在な搬送路の上流側、または下流側に、少なくとも一つ設けられるものである。
そして、給紙ユニット２０・２０間、中間搬送装置２４と給紙ユニット２０間、もしくは画像形成部２と中間搬送装置２４間で、これらの装置間をまたがるジャムが生じた際に、ジャム個所の上下の装置のいずれか一方を引き出せば、非引き出し側の装置に設けた補助ローラ４５により、用紙が案内されて、記録紙の折曲や破損等の不具合の発生を防止できる。
【００４５】
但し、引抜きの際に記録紙に発生する摩擦抵抗を下げる手段は、給紙ユニット２０側搬送路の出口部１６ａに複数の補助ローラを設けることに限るものではない。
例えば、補助ローラを幅広の単一のものに構成することもできる。あるいは、補助ローラをまったく設置せず、その代わりにその位置の出口形状を曲面状（例えば円弧面状）としたり、滑性を有する適当な部材を貼設する構成とすることもできる。
【００４６】
【発明の効果】
本発明は、以上のような構成とすることで、メンテナンス作業を画像形成装置前面で行うことができるため、設置スペースとワーキングスペースとを削減することができる。
また、上下の給紙カセットの搬送路間に記録紙が跨った状態で紙ジャムが生じた場合、又は中間搬送装置の搬送路と給紙カセットの搬送路とに記録紙が跨った状態で紙ジャムが生じた場合であって、記録紙をいずれかの給紙カセット又は中間搬送装置の記録紙把持手段により把持させて該給紙カセット又は中間搬送装置とともに引き出す際に、ジャムした記録紙をしごいて破るなどして新たに紙ジャムの発生を誘発することなく、案内手段がジャムした記録紙と当接して引抜き方向を案内するとともに、引抜きと同時にジャムした記録紙にかかる抵抗を小さくして、確実かつスムーズに搬送路から引き抜くことができ、メンテナンス性が向上する。
【図面の簡単な説明】
【図１】本発明の給紙装置が適用されるファクシミリ装置の斜視図である。
【図２】中間搬送装置及び給紙装置の左側面断面図である。
【図３】搬送路が開放された状態を示す中間搬送搬送装置の左側面断面図である。
【図４】中間搬送搬送装置の左側面断面図である。
【図５】給紙装置後部の左側面断面図である。
【図６】中間搬送装置とともに記録紙が引き出される様子を示す中間搬送装置の左側面断面図である。
【図７】記録紙把持手段の斜視図である。
【図８】搬送路を開放した状態における記録紙把持手段の斜視図である。
【図９】ファクシミリ装置において中間搬送装置が引き出される様子を説明する斜視図である。
【図１０】中間搬送装置を更に引き出し、内部のジャム紙を除去する手順を示す斜視図である。
【図１１】給紙カセットの収納状態を示す給紙ユニットの平面断面図である。
【図１２】第二カセットの引き出し状態を示す給紙ユニットの平面断面図である。
【図１３】第一、第二カセットの引き出し状態を示す給紙ユニットの平面断面図である。
【図１４】別実施例の記録紙把持手段による把持解除状態を示す給紙カセット後部の平面断面図である。
【図１５】別実施例の記録紙把持手段による把持状態を示す給紙カセット後部の平面断面図である。
【図１６】別実施例の記録紙把持手段による把持解除状態を示す給紙カセット後部の左側面断面図である。
【図１７】別実施例の記録紙把持手段による把持状態を示す給紙カセット後部の左側面断面図である。
【図１８】別実施例の記録紙把持手段によるニップ解除状態を示す給紙カセット後部の左側面断面図である。
【符号の説明】
２  画像形成部
４  給紙部
１２  給紙カセット
２４  中間搬送装置
【図１】
0003685128.tif 000002
【図２】
0003685128.tif 000003
【図３】
0003685128.tif 000004
【図４】
0003685128.tif 000005
【図５】
0003685128.tif 000006
【図６】
0003685128.tif 000007
【図７】
0003685128.tif 000008
【図８】
0003685128.tif 000009
【図９】
0003685128.tif 000010
【図１０】
0003685128.tif 000011
【図１１】
0003685128.tif 000012
【図１２】
0003685128.tif 000013
【図１３】
0003685128.tif 000014
【図１４】
0003685128.tif 000015
【図１５】
0003685128.tif 000016
【図１６】
0003685128.tif 000017
【図１７】
0003685128.tif 000018
【図１８】
0003685128.tif 000019